(57)【要約】【課題】  商品の販売や、コンサート等のイベント開催などのサービス（第１のサービス）の利用履歴に応じて、ユーザが即座にプレゼントの応募サービスや景品取得サービスなどのサービス（第２のサービス）を受けることができる。【解決手段】  携帯電話機２は、自動販売機の購入データ書込部によりメモリ２２２に書き込まれた購入履歴情報２２２ｄと、予め定められた基準とを比較することにより、キャンペーンプレゼントの応募資格を取得したか否かを判断する取得判断部２３３ａと、取得判断手段２３３ａが応募資格を取得したと判断した場合に、音／振動発生部２６および／または表示部２５に対して、該応募資格を取得した旨を通知させる通知制御部２３３ｂとを備える。【選択図】  図１
2006134257.tif 000002
【特許請求の範囲】
【請求項１】
外部の読取書込装置により読取および書込が可能な記憶部と、任意の情報をユーザに通知する通知部とを備える携帯情報端末であって、
第１のサービスを利用したときに、前記読取書込装置から第１のサービスを利用したことを示す利用データを取得し、取得した利用データを前記記憶部に書き込む記憶制御手段と、
前記記憶制御手段が記憶部に書き込んだ利用データと予め定められた基準とを比較することにより、第２のサービスの利用資格を取得したか否かを判断する判断手段と、
前記判断手段が第２のサービスの利用資格を取得したと判断した場合に、前記通知部に対して、該利用資格を取得した旨を示す利用資格取得情報を通知させる通知制御手段とを備えることを特徴とする携帯情報端末。
【請求項２】
通信ネットワークを介してサーバ装置と通信可能であり、
前記第２のサービスの利用申し込みに関する申込データを前記サーバ装置に送信する申込データ送信手段を備えることを特徴とする請求項１に記載の携帯情報端末。
【請求項３】
前記通知制御手段が前記通知部に利用資格取得情報を通知させる前に予め申込データを取得する申込データ取得手段を備え、
前記申込データ送信手段は、通知制御手段が前記通知部に利用資格取得情報を通知させるとき、前記申込データ取得手段が予め取得していた申込データを送信することを特徴とする請求項２に記載の携帯情報端末。
【請求項４】
前記申込データ取得手段は、申込データとして、ユーザの個人情報を取得することを特徴とする請求項３に記載の携帯情報端末。
【請求項５】
前記第２のサービスの申し込みに関する申込データを前記記憶部に格納する申込データ格納手段を備えることを特徴とする請求項１に記載の携帯情報端末。
【請求項６】
通信ネットワークを介して、携帯情報端末と通信可能なサーバ装置であって、
第１のサービスを利用したことを示す利用データと予め定められた基準とを比較することにより、第２のサービスの利用資格を取得したか否かを判断する判断手段と、
前記判断手段が第２のサービスの利用資格を取得したと判断した場合に、前記携帯情報端末に対し、利用資格を取得した旨を示す利用資格取得情報を送信する利用資格取得情報送信手段とを備えることを特徴とするサーバ装置。
【請求項７】
前記利用資格取得情報送信手段は、前記利用資格取得情報を含む電子メールを前記携帯情報端末に送信することを特徴とする請求項６に記載のサーバ装置。
【請求項８】
前記利用データと予め定められた基準とを基に、第２のサービスの利用資格を取得しているか否かを判断し、該利用資格を取得したと判断した前記携帯情報端末のみから、第２のサービスの申し込みに関する申込データを受け付ける申込データ受付判断手段を備えることを特徴とする請求項６に記載のサーバ装置。
【請求項９】
外部の読取書込装置により読取および書込が可能な記憶部と、任意の情報をユーザに通知する通知部とを備える携帯情報端末におけるサービス利用資格取得通知方法であって、
第１のサービスを利用したときに、前記読取書込装置から第１のサービスを利用したことを示す利用データを取得し、取得した利用データを前記記憶部に書き込み、
前記記憶部に書き込まれた利用データと予め定められた基準とを比較することにより、第２のサービスの利用資格を取得したか否かを判断し、該利用資格を取得したと判断した場合に、前記通知部に対して、該利用資格を取得した旨を示す利用資格取得情報を通知させることを特徴とするサービス利用資格取得通知方法。
【請求項１０】
通信ネットワークを介して、携帯情報端末と通信可能なサーバ装置におけるサービス利用資格取得通知方法であって、
第１のサービスを利用したことを示す利用データと予め定められた基準とを比較することにより、第２のサービスの利用資格を取得したか否かを判断し、
前記利用資格を取得したと判断した場合に、前記携帯情報端末に対し、利用資格を取得した旨を示す利用資格取得情報を送信することを備えることを特徴とするサービス利用資格取得通知方法。
【請求項１１】
記憶部と、任意の情報をユーザに通知する通知部とを備える携帯情報端末と、
前記記憶部に対して情報の読取および書込を行う読取書込装置とを備えるサービス利用資格取得通知システムであって、
前記読取書込装置は、
第１のサービスを利用したことを示す利用データを前記記憶部に書き込む利用データ書込手段を備え、
前記携帯情報端末は、
前記利用データ書込手段により前記記憶部に書き込まれた利用データと、予め定められた基準とを比較することにより、第２のサービスの利用資格を取得したか否かを判断する判断手段と、
前記判断手段が第２のサービスの利用資格を取得したと判断した場合に、前記通知部に対して、該利用資格を取得した旨を示す利用資格取得情報を通知させる通知制御手段とを備えることを特徴とするサービス利用資格取得通知システム。
【請求項１２】
固有の識別情報を記憶する記憶部と、任意の情報をユーザに通知する通知部とを備える携帯情報端末と、
前記記憶部に対して前記識別情報の読み取りを行う読取装置と、
通信ネットワークを介して、前記携帯情報端末および前記読取装置と通信可能なサーバ装置とを備えるサービス利用資格取得通知システムであって、
前記読取装置は、
前記記憶部から読み取った前記識別情報と、第１のサービスを利用したことを示す利用データとを前記サーバ装置に送信する利用データ送信手段を備え、
前記サーバ装置は、
前記利用データ送信手段が送信した利用データと予め定められた基準とを比較することにより、第２のサービスの利用資格を取得したか否かを判断する判断手段と、
前記判断手段が第２のサービスの利用資格を取得したと判断した場合に、前記利用データ送信手段が送信した識別情報を基に、前記携帯情報端末に対し、利用資格を取得した旨を示す利用資格取得情報を送信する利用資格取得情報送信手段とを備え、
前記携帯情報端末は、
前記利用資格取得情報送信手段から利用資格取得情報を受信し、受信した利用資格取得情報を通知部に通知させる通知制御手段を備えることを特徴とするサービス利用資格取得通知システム。
【請求項１３】
請求項１〜５の何れか１項に記載の携帯情報端末を動作させるためのサービス利用資格取得通知プログラムであって、コンピュータを上記の各手段として機能させるためのサービス利用資格取得通知プログラム。
【請求項１４】
請求項６〜８の何れか１項に記載のサーバ装置を動作させるためのサービス利用資格取得通知プログラムであって、コンピュータを上記の各手段として機能させるためのサービス利用資格取得通知プログラム。
【請求項１５】
請求項１３または１４に記載のサービス利用資格取得通知プログラムを記録したコンピュータ読み取り可能な記録媒体。
【発明の詳細な説明】
【技術分野】
【０００１】
本発明は、外部の読取書込装置により情報の読取および書込が可能な記憶部を備える携帯情報端末、該携帯情報端末と通信可能なサーバ装置、該携帯情報端末に対してサービスの利用資格を取得したことを通知するサービス利用資格取得通知システム、サービス利用資格取得通知方法、サービス利用資格取得通知プログラムおよび記録媒体に関するものである。
【背景技術】
【０００２】
近年、非接触ＩＣカードを用いた技術が活発に開発されている。非接触ＩＣカードを用いた技術としては、例えば、電子マネーが挙げられる。
【０００３】
また、近年、急速に携帯電話機の普及率が増大しており、上記非接触ＩＣカードを備える携帯電話機が開発されている。そして、このような非接触ＩＣカードを備えた携帯電話機を対象とし、該非接触ＩＣカードに記憶された電子マネーによる支払いが可能な缶飲料等の自動販売機も開発されている（非特許文献１参照）。ユーザは、携帯電話機を自動販売機に非接触にかざすだけで、所望の缶飲料を購入することができる。また、溜まったポイントにより画像データ等のコンテンツを購入することが開示されている。
【非特許文献１】“Ｌｅｔ’ｓ  Ｔｒｙ！  Ｃｍｏｄｅ（登録商標）”、［online］、Coca−Cola(Japan) Company Limited、［平成１６年１０月２５日検索］、インターネット＜ＵＲＬ：http://www.cmode.jo＞
【発明の開示】
【発明が解決しようとする課題】
【０００４】
しかしながら、非特許文献１では、携帯電話機の非接触ＩＣカードにチャージ（入金）した電子マネーに応じたポイントにより、コンテンツを購入することができるが、ユーザは、溜まっているポイントでコンテンツが購入できるか否かを即座に認識することができない。そのため、ユーザは、溜まったポイントを即座に利用することができないという問題がある。
【０００５】
本発明は、上記の問題点に鑑みてなされたものであり、その目的は、商品の販売や、コンサート等のイベント開催などのサービス（第１のサービス）の利用履歴に応じて、ユーザが即座にプレゼントの応募サービスや景品取得サービスなどのサービス（第２のサービス）を受けることができる、携帯情報端末、サーバ装置、サービス利用資格取得通知システム、サービス利用資格取得通知方法、サービス利用資格取得通知プログラムおよび記録媒体を実現することにある。
【課題を解決するための手段】
【０００６】
本発明に係る携帯情報端末は、上記課題を解決するために、外部の読取書込装置により読取および書込が可能な記憶部と、任意の情報をユーザに通知する通知部とを備える携帯情報端末であって、第１のサービスを利用したときに、前記読取書込装置から第１のサービスを利用したことを示す利用データを取得し、取得した利用データを前記記憶部に書き込む記憶制御手段と、前記記憶制御手段が記憶部に書き込んだ利用データと予め定められた基準とを比較することにより、第２のサービスの利用資格を取得したか否かを判断する判断手段と、前記判断手段が第２のサービスの利用資格を取得したと判断した場合に、前記通知部に対して、該利用資格を取得した旨を示す利用資格取得情報を通知させる通知制御手段とを備えることを特徴としている。
【０００７】
また、本発明に係るサービス利用資格取得通知方法は、上記課題を解決するために、外部の読取書込装置により読取および書込が可能な記憶部と、任意の情報をユーザに通知する通知部とを備える携帯情報端末におけるサービス利用資格取得通知方法であって、第１のサービスを利用したときに、前記読取書込装置から第１のサービスを利用したことを示す利用データを取得し、取得した利用データを前記記憶部に書き込み、前記記憶部に書き込まれた利用データと予め定められた基準とを比較することにより、第２のサービスの利用資格を取得したか否かを判断し、該利用資格を取得したと判断した場合に、前記通知部に対して、該利用資格を取得した旨を示す利用資格取得情報を通知させることを特徴としている。
【０００８】
なお、記憶部は、例えば、非接触ＩＣチップから構成される。非接触ＩＣチップが内蔵された携帯情報端末としては、例えば、ＦｅｌｉＣａ（登録商標）対応の携帯電話機等が挙げられる。しかし、これに限定はされない。接触により読取および書込可能なＩＣカードを上記記憶部として構成してもよい。ただし、記憶部が非接触ＩＣチップから構成された場合、携帯情報端末を読取書込装置に接触させる必要がなく、ユーザの利便性が向上する。
【０００９】
上記の構成または方法によれば、第１のサービスを利用したときに、記憶制御手段は、記憶部に、第１のサービスを利用したことを示す利用データを記憶させる。
【００１０】
ここで、第１のサービスとは、例えば、商品の販売サービスである。この場合、利用データとは、例えば、商品の購入場所（購入店舗）、購入金額、購入商品名などである。
【００１１】
また、読取書込装置は、第１のサービスの提供に関連する装置である。第１のサービスが商品の販売サービスである場合、読取書込装置は、例えば、該商品の自動販売機で構成することができる。
【００１２】
そして、判断手段は、記憶部が記憶する利用データと、予め定められた基準とを比較することにより、第２のサービスの利用資格を取得したか否かを判断する。さらに、通知制御手段は、判断手段が該利用資格を取得した場合に、通知部に対して利用資格取得情報を通知させる。
【００１３】
ここで、通知部とは、音および／または振動を発生させたり、画像および／または文字を表示させることにより、任意の情報をユーザに通知するものである。
【００１４】
上記判断手段および通知制御手段により、ユーザは、第２のサービスの利用資格を取得したときに、即座に、該利用資格を取得したことを認識することができる。その結果、ユーザは、第２のサービスを利用する資格を得たとほぼ同時に、第２のサービスを利用することができる。
【００１５】
ここで、予め定められた基準とは、例えば、商品の購入回数や、購入金額の合計金額である。また、第２のサービスとは、例えば、プレゼントの応募や、景品の取得である。例えば、ユーザは、購入回数が一定基準に達した場合に、即座に、プレゼントの応募をすることができる。
【００１６】
さらに、本発明の携帯情報端末は、上記の構成に加えて、通信ネットワークを介してサーバ装置と通信可能であり、前記第２のサービスの利用申し込みに関する申込データを前記サーバ装置に送信する申込データ送信手段を備えることを特徴としている。
【００１７】
上記の構成によれば、申込データ送信手段は、通信ネットワークを介して、第２のサービスの申込を行うことができる。
【００１８】
例えば、第２のサービスがプレゼントの応募である場合、従来、ユーザは、商品に付けられたシール等を葉書に貼付し、該葉書を郵送することでプレゼントの応募を行っていた。しかしながら、上記の構成によれば、ユーザは、このようなプレゼント応募に代表される第２のサービスの利用申し込みを、所有する携帯情報端末および通信ネットワークを用いて行うことができる。すなわち、従来のように、葉書を容易する必要がなくなる。その結果、ユーザが第２のサービスを利用する際の利便性が向上する。
【００１９】
また、サーバ装置は、通信ネットワークを介して、申込データを取得する。そのため、従来のように郵送によるシステムに比べて、申込データの送信時間を格段に短縮することができる。よって、例えば、第２のサービスがプレゼント提供の場合、締め切り期間が経過するとともに、即座に、プレゼントの当選者を決定することができる。よって、従来のように、ユーザは、葉書の到着日を気にしながら、プレゼントの応募をする必要がない。また、消印有効の従来の郵送システムと比べて、プレゼントの提供者は、締め切り期限以降に到着する葉書を待つ必要がなくなる。
【００２０】
さらに、本発明の携帯情報端末は、上記の構成に加えて、前記通知制御手段が前記通知部に利用資格取得情報を通知させる前に予め申込データを取得する申込データ取得手段を備え、前記申込データ送信手段は、通知制御手段が前記通知部に利用資格取得情報を通知させるとき、前記申込データ取得手段が予め取得していた申込データを送信することを特徴としている。
【００２１】
上記の構成によれば、申込データ取得手段は、通知制御手段が利用資格取得情報を通知させる前に予め申込データを取得している。そのため、第２のサービスの利用資格を取得したときに、申込データ取得手段は、申込データを取得する必要がない。
【００２２】
そして、申込データ送信手段は、通知制御手段が利用資格取得情報を通知させるとき、申込データ取得手段が予め取得していた申込データを送信する。そのため、申込データ送信手段は、第２のサービスの利用資格を取得すると、即座に申込データ取得手段が予め取得していた申込データを送信することができる。これにより、ユーザは、一層早く第２のサービスを利用することができる。
【００２３】
さらに、本発明の携帯情報端末は、上記の構成に加えて、前記申込データ取得手段は、申込データとして、ユーザの個人情報を取得することを特徴としている。
【００２４】
すなわち、申込データは、ユーザの個人情報を含んでいる。
【００２５】
上記の構成によれば、申込データ送信手段は、個人情報を含む申込データをサーバ装置に送信する。そのため、サーバ装置は、第２のサービスを利用するユーザに関する個人情報を収集することができる。これにより、第２のサービスを行う企業等は、ユーザに関する情報を容易に収集することができ、次回のサービス提供時に該個人情報を利用することができる。
【００２６】
さらに、本発明の携帯情報端末は、上記の構成に加えて、前記第２のサービスの申し込みに関する申込データを前記記憶部に格納する申込データ格納手段を備えることを特徴としている。
【００２７】
上記の構成によれば、申込データ格納手段により、申込データは、記憶部に格納される。該記憶部は、外部の読取書込装置により読取が可能である。そのため、携帯情報端末は、申込データを、読取書込装置を介して、サーバ装置に送ることができる。すなわち、携帯情報端末は、記憶部から申込データを読取書込装置に読み取らせるだけで、第２のサービスの利用申し込みを行うことができる。その結果、携帯情報端末は、第２のサービスの利用申し込みの際、通信ネットワークを使用することがなく、通信ネットワークの使用費用を抑えることができる。
【００２８】
また、本発明のサーバ装置は、上記の課題を解決するために、通信ネットワークを介して、携帯情報端末と通信可能なサーバ装置であって、第１のサービスを利用したことを示す利用データと予め定められた基準とを比較することにより、第２のサービスの利用資格を取得したか否かを判断する判断手段と、前記判断手段が第２のサービスの利用資格を取得したと判断した場合に、前記携帯情報端末に対し、利用資格を取得した旨を示す利用資格取得情報を送信する利用資格取得情報送信手段とを備えることを特徴としている。
【００２９】
また、本発明のサービス利用資格取得通知方法は、上記の課題を解決するために、通信ネットワークを介して、携帯情報端末と通信可能なサーバ装置におけるサービス利用資格取得通知方法であって、第１のサービスを利用したことを示す利用データと予め定められた基準とを比較することにより、第２のサービスの利用資格を取得したか否かを判断し、前記利用資格を取得したと判断した場合に、前記携帯情報端末に対し、利用資格を取得した旨を示す利用資格取得情報を送信することを備えることを特徴としている。
【００３０】
上記の構成および方法によれば、携帯情報端末は、第２のサービスの利用資格を取得したと同時に、利用資格取得情報をサーバ装置から受信することができる。この結果、ユーザは、第２のサービスの利用資格を取得すると即座にその旨を認識することができる。
【００３１】
また、サーバ装置は、第１のサービスの利用データにより、第１のサービスの利用状況を把握することができる。例えば、第１のサービスが商品の販売サービスである場合、該商品の販売者は、サーバ装置が収集した該商品の販売状況を基に、今後の販売動向を予測することができる。
【００３２】
さらに、本発明のサーバ装置は、上記の構成に加えて、前記利用資格取得情報送信手段は、前記利用資格取得情報を含む電子メールを前記携帯情報端末に送信することを特徴としている。
【００３３】
上記の構成によれば、サーバ装置は、電子メールを用いて、利用資格取得情報を形態情報端末に送信することができる。電子メールは、現在広く普及している。そのため、現在普及されている携帯情報端末に適用することができる。
【００３４】
さらに、本発明のサーバ装置は、上記の構成に加えて、前記利用データと予め定められた基準とを基に、第２のサービスの利用資格を取得しているか否かを判断し、該利用資格を取得したと判断した前記携帯情報端末のみから、第２のサービスの申し込みに関する申込データを受け付ける申込データ受付判断手段を備えることを特徴としている。
【００３５】
上記の構成によれば、応募資格を有さないユーザからの偽造した申込データを受信した場合でもあっても、サーバ装置は、該申込データを受け付けることがない。すなわち、偽造した申込データの受付を防止することができる。
【００３６】
本発明に係るサービス利用資格取得通知システムは、上記課題を解決するために、記憶部と、任意の情報をユーザに通知する通知部とを備える携帯情報端末と、前記記憶部に対して情報の読取および書込を行う読取書込装置とを備えるサービス利用資格取得通知システムであって、
前記読取書込装置は、第１のサービスを利用したことを示す利用データを前記記憶部に書き込む利用データ書込手段を備え、
前記携帯情報端末は、前記利用データ書込手段により前記記憶部に書き込まれた利用データと、予め定められた基準とを比較することにより、第２のサービスの利用資格を取得したか否かを判断する判断手段と、前記判断手段が第２のサービスの利用資格を取得したと判断した場合に、前記通知部に対して、該利用資格を取得した旨を示す利用資格取得情報を通知させる通知制御手段とを備えることを特徴としている。
【００３７】
また、本発明のサービス利用資格取得通知システムは、上記の課題を解決するために、固有の識別情報を記憶する記憶部と、任意の情報をユーザに通知する通知部とを備える携帯情報端末と、前記記憶部に対して前記識別情報の読み取りを行う読取装置と、通信ネットワークを介して、前記携帯情報端末および前記読取装置と通信可能なサーバ装置とを備えるサービス利用資格取得通知システムであって、
前記読取装置は、前記記憶部から読み取った前記識別情報と、第１のサービスを利用したことを示す利用データとを前記サーバ装置に送信する利用データ送信手段を備え、
前記サーバ装置は、前記利用データ送信手段が送信した利用データと予め定められた基準とを比較することにより、第２のサービスの利用資格を取得したか否かを判断する判断手段と、前記判断手段が第２のサービスの利用資格を取得したと判断した場合に、前記利用データ送信手段が送信した識別情報を基に、前記携帯情報端末に対し、利用資格を取得した旨を示す利用資格取得情報を送信する利用資格取得情報送信手段とを備え、
前記携帯情報端末は、前記利用資格取得情報送信手段から利用資格取得情報を受信し、受信した利用資格取得情報を通知部に通知させる通知制御手段を備えることを特徴としている。
【００３８】
上記の構成によれば、ユーザは、第２のサービスの利用資格を取得したときに、即座に、該利用資格を取得したことを認識することができる。その結果、ユーザは、第２のサービスを利用する資格を得たとほぼ同時に、第２のサービスを利用することができる。
【００３９】
また、本発明のサービス利用資格取得通知プログラムは、コンピュータを上記の各手段として機能させるコンピュータ・プログラムである。
【００４０】
上記の構成により、コンピュータで携帯情報端末またはサーバ装置の各手段を実現することによって、上記携帯情報端末またはサーバ装置を実現することができる。
【００４１】
また、本発明のサービス利用資格取得通知プログラムを記録したコンピュータ読み取り可能な記録媒体は、上記の各手段をコンピュータに実現させて、上記携帯情報端末またはサーバ装置を動作させるサービス利用資格取得通知プログラムを記録したコンピュータ読み取り可能な記録媒体である。
【発明の効果】
【００４２】
本発明に係る携帯情報端末は、以上のように、外部の読取書込装置により読取および書込が可能な記憶部と、任意の情報をユーザに通知する通知部とを備える携帯情報端末であって、第１のサービスを利用したときに、前記読取書込装置から第１のサービスを利用したことを示す利用データを取得し、取得した利用データを前記記憶部に書き込む記憶制御手段と、前記記憶制御手段が記憶部に書き込んだ利用データと予め定められた基準とを比較することにより、第２のサービスの利用資格を取得したか否かを判断する判断手段と、前記判断手段が第２のサービスの利用資格を取得したと判断した場合に、前記通知部に対して、該利用資格を取得した旨を示す利用資格取得情報を通知させる通知制御手段とを備える。
【００４３】
それゆえ、ユーザは、第２のサービスの利用資格を取得したときに、即座に、該利用資格を取得したことを認識することができる。その結果、ユーザは、第２のサービスを利用する資格を得たとほぼ同時に、第２のサービスを利用することができる。
【発明を実施するための最良の形態】
【００４４】
〔実施形態１〕
本発明の一実施形態に係る携帯情報端末について、図１から図１４に基づいて説明すると以下の通りである。本実施形態は、第１のサービスとして、商品（例えば、缶飲料）の販売サービスを、第２のサービスとして、応募者の中からランダムに選出した者にのみプレゼントを贈るサービス（以下、キャンペーンサービスまたは単にキャンペーンという）を例としている。なお、第１のサービスおよび第２のサービスは、これらに限られない。例えば、第１のサービスとしては、コンサート等のイベント開催サービスが挙げられる。また、第２のサービスとしては、例えば、応募者全員に特定の景品（例えば、キャラクター人形など）を渡すサービスなどが挙げられる。
【００４５】
図２は、本実施形態に係る携帯情報端末を含むキャンペーン応募資格取得通知システム１の全体構成を簡略的に示すブロック図である。図２に示されるように、キャンペーン応募資格取得通知システム１は、携帯電話機（携帯情報端末）２、携帯電話機２が有する電子マネーを管理する電子マネーサーバ３、携帯電話機２が有する電子マネーと引き換えに商品を販売する自動販売機（読取書込装置）４、および、自動販売機４における販売情報および携帯電話機２からのキャンペーンの応募データを管理する管理サーバ（サーバ装置）５を備えている。
【００４６】
携帯電話機２、自動販売機４、および、管理サーバ５は、ネットワーク（通信ネットワーク）Ｎを介して、相互に通信が可能である。また、自動販売機４は、携帯電話機２が有するＩＣチップ（後述する）に対して、ネットワークＮを介さず、非接触に電子マネー情報や購入データなどの読取および書込を行うことができる。さらに、管理サーバ５は、電子マネーサーバ３とネットワークＮを介さずに接続されており、電子マネーサーバ３に対して電子マネー情報を出力する。
【００４７】
ネットワークＮは、例えば公衆電話回線、携帯電話回線、ＰＨＳ回線、インターネットなどで構成されており、自動販売機４と管理サーバ５との間の情報通信、及び携帯電話機２と管理サーバ５の間の情報通信を実現するものである。
【００４８】
なお、図２において、実線矢印は、ネットワークＮを介して、やり取りされる情報を示しており、破線矢印は、ネットワークＮを介さないで、やり取りされる情報を示している。
【００４９】
携帯電話機２が自動販売機４の販売サービスを利用するために、携帯電話機２は、予め自動販売機４を利用するための固有ＩＤ（識別情報）を管理サーバ５から取得している。そして、携帯電話機２は、電子マネーを用いて自動販売機４から商品を購入する。このとき、自動販売機４は、携帯電話機２に対して、購入した商品、金額等を含む購入データを書き込むとともに、携帯電話機２の電子マネー情報を更新する。また、自動販売機４は、携帯電話機２から固有ＩＤを読み取り、該固有ＩＤと前記購入データと更新したＩＤ−電子マネー情報、および、該固有ＩＤと購入データとを対応付けたＩＤ−販売情報を管理サーバ５に送信する。
【００５０】
ここで、購入回数が所定回数（本実施形態では、例えば、５回とする）に達した場合、上記キャンペーンサービスの応募資格を得るものとする。携帯電話機２は、購入回数が上記所定回数に達したことを検知して、キャンペーンの応募資格を得たものと判断し、ネットワークＮを介して、キャンペーンの応募データを管理サーバ５に送信する。
【００５１】
次に、各装置の構成について説明する。
【００５２】
＜携帯電話機の構成＞
図１は、携帯電話機２の構成を示すブロック図である。図１に示されるように、携帯電話機２は、ネットワーク通信部２１、購入情報管理部２２、アプリケーション部２３、入力部２４、表示部（通知部）２５および音／振動発生部（通知部）２６を備えている。
【００５３】
ネットワーク通信部２１は、ネットワークＮとのインターフェイスであり、携帯電話機２を用いた通話や電子メールの送受信、インターネットへのアクセスなどの際に、携帯電話回線との通信を行う。
【００５４】
入力部２４は、ユーザがアルファベットや数字等の文字を入力するものであり、例えば、テンキーからなる。
【００５５】
表示部２５は、ユーザに対して、画像および／または文字を表示するものである。なお、表示部２５は、ユーザに対して、任意の情報を通知するものであるため、通知手段といえる。
【００５６】
音／振動発生部２６は、音および／または振動を発生させ、ユーザに対して、任意の情報を通知するものである。
【００５７】
購入情報管理部２２は、電子マネー情報および購入履歴情報などを管理するものであり、メモリ制御部２２１およびメモリ（記憶部）２２２を備える。なお、本実施形態において、購入情報管理部２２は、非接触ＩＣチップで構成されている。そのため、メモリ２２２は、自動販売機４により情報の読取および書込が非接触に行われる。
【００５８】
メモリ制御部（記憶制御手段）２２１は、自動販売機４との通信を非接触に実現するアンテナ機能を有するとともに、自動販売機４の読取・書込処理部（後述する）からの要求を応じて、メモリ２２２に対する情報の読取・書込を行う。
【００５９】
メモリ２２２は、個人情報（識別情報）２２２ａ、固有ＩＤ（識別情報）２２２ｂ、電子マネー情報２２２ｃ、購入履歴情報（利用データ）２２２ｄおよび希望景品データ（申込データ）２２２ｅを記憶している。
【００６０】
個人情報２２２ａは、携帯電話機２のユーザに関する個人情報であり、該ユーザの氏名、住所、電話番号、電子メールアドレス、性別などを含む。
【００６１】
固有ＩＤ２２２ｂとは、自動販売機４の利用登録の際に、管理サーバ５から携帯電話機２に対して配信された識別番号であり、携帯電話機またはユーザごとにユニークに定められている。
【００６２】
電子マネー情報２２２ｃとは、携帯電話機２が所有する電子マネーの残金を示すものである。
【００６３】
購入履歴情報２２２ｄとは、電子マネーを用いて自動販売機４から商品を購入した際の過去の購入データ（自動販売機４の設置場所、購入商品および購入金額等を含む：利用データ）からなる。図３にメモリ２２１が記憶する購入履歴情報２２２ｄの一記憶例を示す。図３に示されるように、メモリ２２１は、購入履歴情報２２２ｄとして、購入日、自動販売機４の設置場所、購入商品および購入金額を各々対応づけた購入データ１〜３を記憶している。
【００６４】
希望景品データ２２２ｅとは、キャンペーンプレゼントの応募対象となる希望の景品を示すデータである。
【００６５】
アプリケーション部２３は、メモリ２２２、入力部２４、表示部２５および音／振動発生部２６を制御するためのアプリケーションである。
【００６６】
アプリケーション部２３は、利用登録処理部２３１、電子マネー設定部２３２、応募資格取得通知処理部２３３および応募処理部２３４を備えている。
【００６７】
利用登録処理部２３１は、自動販売機４の利用登録処理を行う。すなわち、利用登録処理部２３は、自動販売機４で商品を購入するための固有ＩＤを管理サーバ５から取得し、取得した固有ＩＤをメモリ２２２に固有ＩＤ２２２ｂとして格納する。
【００６８】
利用登録処理部２３１は、入力部２４に入力されたユーザからの利用登録指示に応じて、表示部２５に個人情報（氏名、住所、電話番号、携帯電話機２が有する電子メールアドレスを含む）の入力指示画面を表示させる。そして、利用登録処理部２３１は、入力部２４に入力された個人情報をメモリ２２２に個人情報２２２ａとして格納するとともに、該個人情報２２２ａを付加した利用登録要求を、ネットワーク通信部２１を介して、管理サーバ５に送信する。利用登録処理部２３１は、ネットワークＮおよびネットワーク通信部２１を介して管理サーバ５から受信した固有ＩＤを、メモリ２２２に固有ＩＤ２２２ｂとして格納する。
【００６９】
電子マネー設定部２３２は、入力部２４に入力されたユーザからの入金指示に従い、ネットワークＮおよび管理サーバ５を介して、電子マネーサーバ３を通じて、予め登録したクレジットカードから電子マネーをチャージ（入金）させるものである。電子マネー設定部２３２は、入金した電子マネーをメモリ２２２が記憶する電子マネー情報２２２ｃに加算し、加算した合計金額を新たな電子マネー情報２２２ｃとしてメモリ２２２に格納する。
【００７０】
なお、電子マネー設定部２３２は、店頭の現金入金機（チャージ装置）等と接続し、該現金入金機から電子マネーをチャージできるようになっていてもよい。なお、この場合、店頭の現金入金機もネットワークＮに繋がり、管理サーバ５を介して、電子マネーサーバ３に接続される。この現金入金機（チャージ装置）が、例えば、自動販売機４に設けられていてもよい。
【００７１】
応募資格取得通知処理部２３３は、メモリ２２２の購入履歴情報２２２ｄを基に、キャンペーンの応募資格を得たか否かを判断し、応募資格を得た場合にその旨をユーザに対して通知する処理を行うものである。応募資格取得通知処理部２３３は、取得判断部（判断手段）２３３ａと、通知制御部（通知制御手段）２３３ｂとを備える。
【００７２】
取得判断部２３３ａは、購入履歴情報２２２ｄを監視し、購入回数（つまり、購入履歴情報２２２ｄに含まれる購入データの数に相当する）が一定回数（ここでは、５回）以上か否かを判断する。取得判断部２３３ａは、購入回数が５回以上であることを検知した場合、応募資格を取得したと判断し、通知指示を通知制御部２３３ｂに出力する。
【００７３】
通知制御部２３３ｂは、取得判断部２３３ａから通知指示を受けると、音／振動発生部２６に対して、音および／または振動の発生指示を出力する。これにより、音／振動発生部２６は、音および／または振動を発生させる。その結果、ユーザは、なんらかの情報が通知されていることを理解できる。特に、音および／または振動により通知されるため、ユーザは、表示部２５の画面通知に比べて、該通知に気付く確率が高い。
【００７４】
また、通知制御部２３３ｂは、音／振動発生部２６に発生指示を出力した後、入力部２４に対する何らかの入力があることを検知すると、表示部２５に応募資格を得た旨を示す画面および／または文字を表示させる。これにより、ユーザは、これまでの購入回数を覚えることなく、キャンペーンの応募資格（利用資格）を得たことを即座に知ることができる。
【００７５】
応募処理部２３４は、入力部２４に入力された応募指示に応じて、ネットワークＮおよびネットワーク通信部２１を介して、キャンペーンの応募処理を行うものである。応募処理部２３４は、応募データ決定部（申込データ取得手段、申込データ格納手段）２３４ａと送信処理部（申込データ送信手段）２３４ｂと応募資格データ削除部２３４ｃとを備えている。
【００７６】
応募データ決定部２３４ａは、入力部２４に応募指示が入力されたことを受けて、プレゼントの希望景品を決定するものである。応募データ決定部２３４ａは、希望景品名を入力部２４に入力させる希望景品名入力指示を表示部２５に表示させる。そして、応募データ決定部２３４ａは、入力部２４に入力された希望景品名を示す希望景品データ２２２ｅをメモリ２２２に格納する。応募データ決定部２３４ａは、希望景品データ２２２ｅのメモリ２２２への格納処理が終了すると、送信開始を指示する送信開始指示を送信処理部２３４ｂに出力する。
【００７７】
送信処理部２３４ｂは、応募データ決定部２３４ａから送信開始指示を受けると、メモリ２２２から固有ＩＤ２２２ｂおよび希望景品データ２２２ｅを読み取り、読み取った固有ＩＤ２２２ｂおよび希望景品データ２２２ｅを含む応募データを、ネットワーク通信部２１およびネットワークＮを介して、管理サーバ５に送信する。また、送信処理部２３４ｂは、応募データを送信すると、応募資格データ削除部２３４ｃに削除指示を出力する。
【００７８】
応募資格データ削除部２３４ｃは、送信処理部２３４ｂから削除指示を受けると、応募資格に対応する回数分の購入データを、メモリ２２２の購入履歴情報２２２ｄから消去する。
【００７９】
＜自動販売機の構成＞
図４は、自動販売機４の構成を示すブロック図である。図４に示されるように、自動販売機４は、ネットワーク通信部４１と、読取・書込処理部４２と、商品排出部４３と、自動販売機情報記憶部４４と、商品決定部４５と、商品情報記憶部４６と、販売情報送信処理部（利用データ送信手段）４７と、複数の商品選択ボタン４８（４８−１、４８−２、・・・）と、表示部４９とを備えている。
【００８０】
表示部４９は、ユーザに対して操作方法や価格等の情報を表示するためのものであり、例えば、液晶ディスプレイからなる。
【００８１】
自動販売機情報記憶部４４は、自動販売機４を識別するための自動販売機識別情報を記憶しているものである。自動販売機４を識別するための自動販売機識別情報は、自動販売機４の識別番号および自動販売機４の設置場所を示す設置位置情報を含んでいる。該自動販売機識別情報は、自動販売機４の設置時に予め自動販売機情報記憶部４４に格納されている。
【００８２】
複数の商品選択ボタン４８（４８−１、４８−２、・・・）は、各商品に対応したボタンである。ユーザは、購入を希望する商品に対応する商品選択ボタン４８を押すことにより、所望の商品を選択することができる。商品選択ボタン４８（４８−１、４８−２、・・・）は、押下されると、自己のボタンを識別するボタン識別信号を商品決定部４５に送る。
【００８３】
商品情報記憶部４６は、各商品選択ボタン４８から出力されるボタン識別信号と、該商品選択ボタン４８に対応する商品名と、該商品の価格とを対応づけて記憶している。例えば、商品情報記憶部４６は、商品選択ボタン４８−１と、商品名「炭酸飲料」と、価格「１２０円」とを対応付けて記憶している。
【００８４】
商品決定部４５は、商品選択ボタン４８からのボタン識別信号を受けると、受けたボタン識別信号に対応する商品名および価格を、商品情報記憶部４６から読み出す。そして、商品決定部４５は、読み出した商品名および価格と、検出開始指示とを読取・書込処理部４２に送る。
【００８５】
読取・書込処理部４２は、上記携帯電話機２が有するメモリ２２２に対して、非接触に情報の読取・書込処理を行うものである。読取・書込処理部４２は、検出部４２０、相互認証部４２１、残高照会部４２２、課金処理部４２３および購入データ書込部４２４を備えている。
【００８６】
検出部４２０は、携帯電話機２のメモリ制御部２２１から発せられる電波を検出するものである。検出部４２０は、上記商品決定部４５から検出開始指示を受けると、所定時間（例えば、３０秒）の間、メモリ制御部２２１から発せられる電波の有無を確認する。電波がある場合、検出部４２０は、携帯電話機２のメモリ２２２に対して情報の読取・書込が可能であると判断し、相互認証部４２１に対して相互認証開始指示を送る。一方、電波がない場合、検出部４２０は、メモリ２２２に対して情報の読取・書込が不可能であると判断し、制限時間超過を示す画面を表示部４９に表示させる。
【００８７】
相互認証部４２１は、上記検出部４２０から相互認証開始指示を受けると、上記携帯電話機２のメモリ制御部２２１との間で相互認証を行うものである。具体的には、相互認証部４２１は、携帯電話機２のメモリ２２２およびメモリ制御部２２１の形式が、読取・書込処理部４２が読取および書込を行うことのできる形式であるか否かを判断する。メモリ２２２およびメモリ制御部２２１の形式が読取・書込可能な形式である場合、相互認証部４２１は、携帯電話機２が正当な相手であると認識して、相互認証に成功したと判断する。相互認証部４２１は、相互認証に成功した場合、その旨を示す相互認証成功信号を残高照会部４２２に対して出力する。相互認証部４２１は、相互認証に失敗した場合、その旨を示す画面を表示部４９に表示させる。
【００８８】
残高照会部４２２は、携帯電話機２のメモリ２２２から電子マネー情報２２２ｃを読み取る。そして、残高照会部４２２は、読み取った電子マネー情報２２２ｃが示す残高と、上記商品決定部４５から受けた価格とを比較する。電子マネー情報２２２ｃの示す残高が商品決定部４５から受けた価格以上である場合、残高照会部４２２は、課金処理部４２３に対して課金指示を出力する。一方、電子マネー情報２２２ｃの示す金額が商品決定部４５から受けた価格よりも小さい場合、残高照会部４２２は、残高不足を示す画面を表示部４９に表示させる。
【００８９】
課金処理部４２３は、残高照会部４２２から課金指示を受けると、読み取った電子マネー情報２２２ｃの示す残高から商品の価格を差し引いた金額を新たな電子マネー情報２２２ｃとして、携帯電話機２のメモリ２２２に書き込む。同時に、課金処理部４２３は、メモリ２２２に書き込んだ新たな電子マネー情報２２２ｃと、メモリ２２２から読み取った固有ＩＤ２２２ｂとを対応付けたＩＤ−電子マネー情報を販売情報送信処理部４７に出力する。また、課金処理部４２３は、携帯電話機２の電子マネー情報２２２ｃを更新すると、購入データ書込部４２４に対して書込指示を出力する。
【００９０】
購入データ書込部４２４は、書込指示を受けて、商品決定部４５からの商品名および価格、並びに、自動販売機情報記憶部４４が記憶する自動販売機識別情報のそれぞれを対応付けた購入データを、上記メモリ２２２に購入履歴情報２２２ｄとして、メモリ２２２に書き込む。また、購入データ書込部４２４は、メモリ２２２に書き込んだ購入データと、メモリ２２２から読み取った固有ＩＤ２２２ｂとを対応付けたＩＤ−販売情報を販売情報送信処理部４７に出力する。さらに、購入データ書込部４２４は、商品決定部４５から受けた商品名を付加した排出指示を商品排出部４３に対して出力する。
【００９１】
商品排出部４３は、排出指示を受けて、該排出指示に付加された商品名に対応する商品を排出する。
【００９２】
販売情報送信処理部４７は、購入データ書込部４２４からのＩＤ−販売情報と課金処理部４２３からのＩＤ−電子マネー情報とを受けて、ネットワーク通信部４１およびネットワークＮを介して、該ＩＤ−販売情報およびＩＤ−電子マネー情報を管理サーバ５に送信する。
【００９３】
＜管理サーバの構成＞
管理サーバ５は、携帯電話機２からキャンペーンの応募データを収集するとともに、自動販売機４から販売データを収集するためのサーバ装置である。
【００９４】
図５は、管理サーバ５および電子マネーサーバ３の構成を示すブロック図である。図５に示されるように、管理サーバ５は、ネットワーク通信部５１と、登録処理部５２と、販売情報書込部５３と、電子マネー情報出力部５４と、応募データ受付判断部（申込データ受付判断手段）５５と、応募データ書込部５６と、ＩＤ−応募データ記憶部５７と、ＩＤ−個人情報記憶部５８と、ＩＤ−販売情報記憶部５９と、応募データ出力部５０とを備えている。
【００９５】
ネットワーク通信部５１は、ネットワークＮとのインターフェイスである。ネットワーク通信部５１は、ネットワークＮを介して、携帯電話機２から利用登録要求および応募データを受信するとともに、自動販売機４からＩＤ−販売情報およびＩＤ−電子マネー情報を受信する。
【００９６】
登録処理部５２は、携帯電話機２からの利用登録要求に応じて、該携帯電話機２に固有ＩＤを付与するものである。登録処理部５２は、ネットワークＮおよびネットワーク通信部５１を介して、携帯電話機２から個人情報が付加された利用登録要求を受け、該個人情報に対してユニークに固有ＩＤを付与する。そして、登録処理部５２は、ネットワーク通信部５１およびネットワークＮを介して、付与した固有ＩＤを携帯電話機２に送信する。送信方法は、例えば、電子メールを用いて行われる。
【００９７】
また、登録処理部５２は、受けた個人情報と、該個人情報に付与した固有ＩＤとを対応付けたＩＤ−個人情報を、ＩＤ−個人情報記憶部５８に格納する。
【００９８】
販売情報書込部５３は、ネットワークＮおよびネットワーク通信部５１を介して、自動販売機４から受けたＩＤ−販売情報をＩＤ−販売情報記憶部５９に格納するものである。なお、販売情報書込部５３は、ＩＤ−販売情報をＩＤ−販売情報記憶部５９に格納する際、該ＩＤ−販売情報に対してキャンペーンの応募対象データであることを示す応募資格対象フラグを付加して格納する。
【００９９】
電子マネー情報出力部５４は、携帯電話機２からの入金指示や、自動販売機４からのＩＤ−電子マネー情報を、電子マネーサーバ３に出力するものである。
【０１００】
応募データ受付判断部５５は、携帯電話機２からの応募データ（固有ＩＤ２２２ｂおよび希望景品データ２２２ｅを含む）が正当なものかどうかを判断するものである。応募データ受付判断部５５は、受信した応募データに含まれる固有ＩＤ２２２ｂに対応する複数の販売情報を、ＩＤ−販売情報記憶部５９から読み出す。そして、応募データ受付判断部５５は、読み出した販売情報に付加された応募対象フラグを基に、受信した固有ＩＤ２２２ｂが応募資格を取得しているか否かを判断する。具体的には、応募データ受付判断部５５は、応募対象フラグが付加された販売情報の回数が所定回数（ここでは、５回）以上であるか否かにより、応募資格を取得しているか否かを判断する。応募資格を資格していると判断した場合、応募データ受付判断部５５は、受信した応募データが正当であると判断し、該応募データを応募データ書込部５６に出力する。なお、応募データ受付判断部５５は、応募データを受け付ける場合、応募資格に対応する回数分の応募対象フラグをＩＤ−販売情報記憶部５９から削除する。
【０１０１】
このように、応募データ受付判断部５５がＩＤ−販売情報記憶部５９に格納されたＩＤ−販売情報を基に応募データが正当であるか否かを判断するため、偽造された応募データを受け付けることがなくなる。
【０１０２】
応募データ書込部５６は、応募データ受付判断部５５から受けた応募データに含まれる固有ＩＤ２２２ｂと希望景品データ２２２ｅとを対応付けたＩＤ−希望景品情報をＩＤ−応募データ記憶部５７に格納するものである。
【０１０３】
応募データ出力部５０は、ＩＤ−個人情報記憶部５８からＩＤ−個人情報を、ＩＤ−応募データ記憶部５７からＩＤ−希望景品情報を読み取り、各固有ＩＤの個人情報と希望景品名とを関連付けた個人情報−希望景品情報を出力するものである。出力形式は、特に限定されず、例えば、電子データとしての出力や、紙等の記録媒体への印刷出力である。
【０１０４】
＜電子マネーサーバの構成＞
電子マネーサーバ３は、携帯電話機２が有する電子マネーに関する管理を行うためのサーバ装置である。図５に示されるように、電子マネーサーバ３は、ＣＰＵ等からなる制御部３１、ハードディスク等からなる記憶装置３２を備えている。
【０１０５】
制御部３１は、管理サーバ５から携帯電話機２ごとの固有ＩＤを取得し、取得した固有ＩＤと該固有ＩＤに対応する携帯電話機２が有する電子マネーとを対応付けて、記憶装置３２に格納している。そして、制御部３１は、携帯電話機２からの入金指示に含まれる固有ＩＤおよび入金金額に応じて、記憶装置３２が記憶する各固有ＩＤに対応する電子マネーを更新する。さらに、制御部３１は、自動販売機４からのＩＤ−電子マネー情報に応じて、記憶装置３２が記憶する各固有ＩＤに対応する電子マネー情報を更新する。
【０１０６】
この電子マネーサーバ３は、一般には複数の携帯電話機２に対して共通に設けられている装置である。なお、ネットワークＮを介して電子マネーをチャージしてもよいが、例えば、電子マネーは、店頭の現金入金機（チャージ装置）等からチャージできるようになっていてもよい。なお、この場合、店頭の現金入金機も、ネットワークＮおよび管理サーバ５を介して、電子マネーサーバ３に接続される。この現金入金機（チャージ装置）が、例えば、自動販売機４に設けられていてもよい。
【０１０７】
＜自動販売機の処理フロー＞
次に、携帯電話機２のメモリ２２２に格納された電子マネーを用いて自動販売機４で商品を購入する際の自動販売機４の処理手順について、図６のフローチャートを参照して説明する。
【０１０８】
まず、商品選択ボタン４８は、ユーザにより押下されたことを検知して、自己のボタンを識別するボタン識別信号を商品決定部４５に出力する（Ｓ１）。
【０１０９】
ボタン識別信号を受けた商品決定部４５は、受けたボタン識別信号に対応する商品名および価格を商品情報記憶部４６から読み出す。そして、商品決定部４５は、読み出した価格（金額）を表示部４９に表示させる（Ｓ２）。このとき、商品決定部４５は、支払い手順を表示部４９に表示してもよい。また、商品決定部４５は、読み出した価格および商品名と、検出開始指示とを読取・書込処理部４２に出力する。
【０１１０】
検出開始指示を受けた読取・書込処理部４２の検知部４２０は、携帯電話機２のメモリ制御部２２１が発する電波の有無を判断する（Ｓ３）。
【０１１１】
メモリ制御部２２１が発する電波を検知できない場合（Ｓ３でＮｏ）、検知部４２０は、商品決定部４５から価格および商品名を受けてから所定の制限時間（例えば、３０秒間）が経過したか否かを判断する（Ｓ４）。制限時間を経過している場合（Ｓ４でＮｏ）、検知部４２０は、表示部４９に制限時間が超過した旨を表示させる（Ｓ５）。その後、Ｓ１の処理に戻る。また、制限時間経過していない場合（Ｓ４でＹｅｓ）、Ｓ３の処理に戻る。
【０１１２】
一方、メモリ制御部２２１が発する電波を検知した場合（Ｓ３でＹｅｓ）、検知部４２０は、相互認証開始信号を相互認証部４２１に出力する。
【０１１３】
相互認証開始信号を受けた相互認証部４２１は、携帯電話機２のメモリ制御部２２１との間で相互認証を行う（Ｓ６）。
【０１１４】
次に、相互認証部４２１は、相互認証が成功したか否かを判断する（Ｓ７）。すなわち、相互認証部４２１は、メモリ制御部２２１の形式が読取および書込を行うことのできる形式であるか否かを判断する。
【０１１５】
相互認証が失敗した場合（Ｓ７でＮｏ）、相互認証部４２２は、その旨を示す画面を表示部４９に表示させる（Ｓ８）。その後、Ｓ１の処理に戻る。
【０１１６】
一方、相互認証が成功した場合（Ｓ７でＹｅｓ）、相互認証部４２１は、その旨を示す相互認証成功信号を残高照会部４２２に対して出力する。相互認証成功信号を受けた残高照会部４２２は、携帯電話機２のメモリ２２２から電子マネー情報２２２ｃを読み取り、読み取った電子マネー情報２２２ｃの残高を確認する（Ｓ９）。
【０１１７】
次に、残高照会部４２２は、電子マネー情報２２２ｃの残高と、商品決定部４５から受けた価格とを比較し、価格に対して電子マネーの残高が十分であるか否かを判断する（Ｓ１０）。
【０１１８】
携帯電話機２の電子マネー情報２２２ｃの残高が商品決定部４５から受けた価格よりも小さい場合、つまり、携帯電話機２の電子マネー情報２２２ｃの残高が十分でない場合（Ｓ１０でＮｏ）、残高照会部４２２は、残高が不足している旨を示す画面を表示部４９に表示させる（Ｓ１１）。その後、Ｓ１の処理に戻る。
【０１１９】
携帯電話機２の電子マネー情報２２２ｃの残高が商品決定部４５から受けた価格よりも高い或いは同じである場合、つまり、携帯電話機２の電子マネー情報２２２ｃの残高が十分である場合（Ｓ１０でＹｅｓ）、残高照会部４２２は、課金処理部４２３に対して課金指示を出力する。
【０１２０】
課金指示を受けた課金処理部４２３は、メモリ２２２から読み取った電子マネー情報２２２ｃの示す残高から商品の価格を差し引く。そして、課金処理部４２３は、差し引いた金額を新たな電子マネー情報２２２ｃとして、携帯電話機２のメモリ２２２に書き込む（Ｓ１２）。また、このとき、課金処理部４２３は、新たな電子マネー情報２２２ｃと、メモリ２２２から読み取った固有ＩＤ２２２ｂとを対応付けたＩＤ−電子マネー情報を販売情報送信処理部４７に出力する。
【０１２１】
次に、課金処理部４２３は、購入履歴書込部４２４に対して書込指示を出力する。書込指示を受けた購入履歴書込部４２４は、商品決定部４５から受けた商品名および価格、並びに、装置情報記憶部４４が記憶する自動販売機識別情報の各々を対応付けた購入データを携帯電話機２のメモリ２２２の購入履歴情報２２２ｄとして書き込む（Ｓ１３）。
【０１２２】
その後、購入データ書込部４２４は、表示部４９に支払いが完了した旨を示す画面を表示させ（Ｓ１４）、商品決定部４５から受けた商品名を付加した排出指示を商品排出部４３に対して出力する。該排出指示を受けた商品排出部４３は、該排出指示に付加された商品名に対応する商品を排出する（Ｓ１５）。
【０１２３】
また、購入データ書込部４２４は、メモリ２２２に書き込んだ購入データと、メモリ２２２から読み取った固有ＩＤ２２２ｂとを対応付けたＩＤ−販売情報を販売情報送信処理部４７に出力する。そして、販売情報送信処理部４７は、ネットワーク通信部４１およびネットワークＮを介して、購入データ書込部４２４からのＩＤ−販売情報と課金処理部４２３からのＩＤ−電子マネー情報とを管理サーバ５に送信する（Ｓ１６）。これにより、管理サーバ５は、自動販売機４での販売情報を集約することができる。
【０１２４】
＜携帯電話機におけるキャンペーンの応募処理の手順＞
次に、携帯電話機２のメモリ２２２に格納された電子マネーを用いて自動販売機４で商品を購入する際の携帯電話機２の処理手順について、図７のフローチャートおよび図８から図１１の携帯電話機２の表示部２５における表示画面例を参照して説明する。
【０１２５】
まず、携帯電話機２のメモリ２２２に格納された電子マネー情報２２２ｃを用いて自動販売機４で商品を購入すると、上述したＳ１３の処理により、上記購入データが携帯電話機２のメモリ２２２の購入履歴情報２２２ｄとして書き込まれる（Ｓ２１）。
【０１２６】
取得判断部２３３ａは、メモリ２２２の購入履歴情報２２２ｄを監視しており、購入回数（購入履歴情報２２２ｄに含まれる購入データの数に相当する）が所定回数（ここでは、５回）以上であるか否かを判断する（Ｓ２２）。購入回数が所定回数未満である場合（Ｓ２２でＮｏ）、Ｓ２１の処理に戻る。
【０１２７】
一方、購入回数が所定回数以上である場合（Ｓ２２でＹｅｓ）、通知制御部２３３ｂは、音／振動発生部２６に音および／または振動を発生させ、ユーザに対してキャンペーンの応募資格を取得したことを通知する（Ｓ２４）。
【０１２８】
次に、通知制御部２３３ｂは、ユーザからの操作の有無を判断する（Ｓ２５）。ここで、ユーザからの操作とは、例えば、入力部２４に対する任意の入力である。
【０１２９】
ユーザからの操作がない場合（Ｓ２５でＮｏ）、通知制御部２３３ｂは、アプリケーション部２３の動作を停止させる（Ｓ２６）。その後、Ｓ２１の処理に戻る。
【０１３０】
一方、ユーザからの操作がある場合（Ｓ２５でＹｅｓ）、通知制御部２３３ｂは、表示部２５にキャンペーン応募資格を取得した旨の画面を表示させる（Ｓ２７）。このとき、通知制御部２３３ｂは、応募するか否かをユーザに対して入力させる指示を、表示部２５に表示させる。
【０１３１】
図８は、通知制御部２３３ｂが表示部２５に表示させるキャンペーン応募資格を取得した旨の画面の一例である。図８に示されるように、通知制御部２３３ｂは、今回の購入でキャンペーンの応募資格を得たことを表示させるとともに、すぐに応募するか否かを入力部２４に入力させる指示を表示させる。
【０１３２】
次に、応募処理部２３４は、入力部２４に入力された情報が「今すぐ応募する」または「後で応募する」のどちらであるかを判断する（Ｓ２８）。
【０１３３】
入力部２４に入力された情報が「後で応募する」である場合（Ｓ２８でＮｏ）、応募処理部２３４は、アプリケーション部２３の動作を停止させる旨の画面を表示部２５に表示させる（Ｓ２９）。図９は、Ｓ２９においてユーザ通知処理部２３１が表示部２５に表示させる画面の一例である。その後、Ｓ２６およびＳ２１の処理に戻る。
【０１３４】
一方、入力部２４に入力された情報が「今すぐ応募する」である場合（Ｓ２８でＹｅｓ）、応募処理部２３４の応募データ決定部２３４ａは、希望する景品名を入力部２４に入力させる希望景品名入力指示を、表示部２５に表示させる（Ｓ３０）。
【０１３５】
図１０は、Ｓ３０において応募データ決定部２３４ａが表示部２５に表示させる画面の一例である。図１０に示されるように、応募データ決定部２３４ａは、購入回数「５回」で応募可能な商品が「オリジナル携帯ストラップ」のみであることを示している。例えば、購入回数が「２０回」である場合、ユーザは、「オリジナル携帯ストラップ」または「αβ飲料１箱」を選択することができる。
【０１３６】
そして、応募データ決定部２３４ａは、入力部２４に入力された希望景品名を希望景品データ２２２ｅとしてメモリ２２２に保存する（Ｓ３１）。応募データ決定部２３４ａは、希望景品データ２２２ｅのメモリ２２２への格納処理が終了すると、送信開始を指示する送信開始指示を送信処理部２３４ｂに出力する。
【０１３７】
次に、送信処理部２３４ｂは、応募データを送信するか否かを入力させる指示を表示部２５に表示させ、応募データの送信有無を判断する（Ｓ３５）。
【０１３８】
入力部２４に「応募しない」旨の指示が入力された場合（Ｓ３５でＮｏ）、送信処理部２３４ｂは、アプリケーション部２３の動作を停止させる旨を表示部２５に表示させる（Ｓ３６）。例えば、ユーザは、購入回数が２０回で応募可能な「αβ飲料１箱」を希望する場合、購入回数が５回で応募可能な「オリジナル携帯ストラップ」に対する応募を行わないことを選択できる。これにより、購入回数を増やすことができる。その後、Ｓ２６およびＳ２１の処理に戻る。
【０１３９】
一方、入力部２４に「応募する」旨の指示が入力された場合（Ｓ３５でＹｅｓ）、送信処理部２３４ｂは、メモリ２２２に格納された希望景品データ２２２ｅおよび固有ＩＤ２２２ｂを読み出す。そして、送信処理部２３４ｂは、ネットワーク通信部２１およびネットワークＮを介して、読み取った希望景品データ２２２ｅおよび固有ＩＤ２２２ｂを含む応募データを、管理サーバ５に送信する（Ｓ３７）。
【０１４０】
送信処理部２３４ｂは、ネットワーク通信部２１が正常に送信できたか否かを判断する（Ｓ３８）。
【０１４１】
送信エラーが発生した場合（Ｓ３８でＮｏ）、送信処理部２３４ｂは、Ｓ３７の処理からの経過時間が所定の制限時間内であるか否かを判断する（Ｓ３９）。制限時間内である場合（Ｓ３９でＹｅｓ）、送信処理部２３４ｂは、再度Ｓ３８の処理を行う。一方、制限時間内ではない場合（Ｓ３９でＮｏ）、送信処理部２３４ｂは、制限時間を超過した旨の画面を表示部２５に表示させる（Ｓ４０）。その後、Ｓ３６の処理に戻る。
【０１４２】
一方、正常に送信できた場合（Ｓ３８でＹｅｓ）、送信処理部２３４ｂは、応募資格データ削除部２３４ｃに削除指示を出力する。そして、応募資格データ削除部２３４ｃは、送信処理部２３４ｂから削除指示を受けると、応募資格に対応する回数分の購入データを、メモリ２２２の購入履歴情報２２２ｄから消去する（Ｓ４１）。
【０１４３】
その後、送信処理部２３４ｂは、応募完了した旨の画面を表示部に表示させる（Ｓ４２）。図１１は、Ｓ４２において送信処理部２３４ｂが表示部２５に表示させる画面例である。
【０１４４】
そして、送信処理部２３４ｂは、アプリケーション部２３の動作を停止させ（Ｓ４３）、処理を終了する。
【０１４５】
以上のように、本実施形態の携帯電話機２は、外部の自動販売機４により読取および書込が可能なメモリ２２２と、任意の情報をユーザに通知する音／振動発生部２６および表示部２５とを備える。そして、携帯電話機２は、自動販売機４の販売サービスを利用したときに、自動販売機４から購入データを取得し、取得した購入データをメモリ２２２に書き込むメモリ制御部２２１を備える。さらに、携帯電話機２は、メモリ制御部２２１がメモリ２２２に書き込んだ購入データである購入履歴情報２２２ｄと予め定められた基準とを比較することにより、キャンペーンの応募資格を取得したか否かを判断する取得判断部２３３ａと、該取得判断部２３３ａが応募資格を取得したと判断した場合に、音／振動発生部２６および表示部２５に対して、該応募資格を取得した旨を示す利用資格取得情報を通知させる通知制御部２３３ｂとを備える。
【０１４６】
これにより、ユーザは、キャンペーンプレゼントの応募資格を取得したときに、即座に、該応募資格を取得したことを認識することができる。その結果、ユーザは、該応募資格を得たとほぼ同時に、キャンペーンプレゼントを利用することができる。
【０１４７】
さらに、携帯電話機２は、キャンペーンの応募データを取得する応募データ決定部２３４ａと、該応募データを管理サーバ５に送信する送信処理部２３４ｂとを備える。
【０１４８】
これにより、送信処理部２３４ｂは、ネットワークＮを介して、キャンペーンの応募データを送信することができる。
【０１４９】
従来、ユーザは、商品に付けられたシール等を葉書に貼付し、該葉書を郵送することでキャンペーンプレゼントの応募を行っていた。しかしながら、上記の構成によれば、ユーザは、このようなプレゼント応募を、所有する携帯電話機２およびネットワークＮを用いて行うことができる。すなわち、従来のように、葉書を容易する必要がなくなる。その結果、ユーザがキャンペーンに応募する際の利便性が向上する。
【０１５０】
また、管理サーバ５は、ネットワークＮを介して、応募データを取得する。そのため、従来のように郵送によるシステムに比べて、応募データの送信時間を格段に短縮することができる。
【０１５１】
さらに、管理サーバ５は、販売情報送信処理部４７から受信したＩＤ−販売情報と、購入回数５回とを基に、キャンペーンの応募資格を取得しているか否かを判断し、該応募資格を取得したと判断した固有ＩＤを記憶する携帯電話機２からの応募データのみを受け付ける申込データ受付判断部５５を備える。
【０１５２】
これによれば、応募資格を有さないユーザからの偽造した応募データを受信した場合でもあっても、管理サーバ５は、該応募データを受け付けることがない。すなわち、偽造した応募データの受付を防止することができる。
【０１５３】
また、管理サーバ５は、自動販売機４の販売情報を収集することができるため、該販売状況を把握することができる。そのため、販売管理者は、管理サーバ５が収集した該商品の販売状況を基に、今後の販売動向を予測することができる。
【０１５４】
なお、上記説明では、取得判断部２３３ａは、購入回数（つまり、購入履歴情報２２２ｄに含まれる購入データの数）が所定回数に達したことにより、キャンペーンの応募資格を取得したと判断するとした。しかしながら、これに限らず、取得判断部２３３ａは、購入金額の合計が所定額に達したことにより、キャンペーンの応募資格を取得したと判断するとしてもよい。つまり、取得判断部２３３ａは、購入履歴情報２２２ｄと、所定の購入基準とを基に、キャンペーンの応募資格を取得したと判断すればよい。所定の購入基準は、購入回数、購入金額、特定商品の購入回数、特定商品の購入金額、特定自動販売機での購入回数または購入金額など、様々なパターンが想定される。
【０１５５】
また、応募データ決定部２３４ａは、上記機能に加えて、メモリ２２２が記憶する個人情報２２２ａを更新する機能を有していることが好ましい。すなわち、応募データ決定部２３４ａは、希望景品名入力指示とともに、メモリ２２２が記憶する個人情報２２２ａ、および、該個人情報２２２ａに対する修正の有無を入力部２４に入力させる指示を、表示部２５に表示させる。図１２は、応募データ決定部２３４ａが表示させる修正有無確認画面の一例である。
【０１５６】
修正ありの場合、応募データ決定部２３４ａは、修正事項を入力させるための画面を表示部２５に表示させる。図１３は、応募データ決定部２３４ａが表示させる、修正事項入力画面の一例である。これにより、ユーザは、自動販売機４の利用登録時から変更のあった個人情報（例えば、住所など）２２２ａの変更を行うことができる。
【０１５７】
そして、送信処理部２３４ｂは、メモリ２２２の個人情報２２２ａが更新された場合、応募データとともに、該個人情報２２２ａを管理サーバ５に送信する。管理サーバ５の登録処理部５２は、携帯電話機２から応募データおよび個人情報２２２ａを受けると、該応募データに含まれる固有ＩＤ２２２ｂに対応するＩＤ−個人情報記憶部５８に格納された個人情報を更新する。これにより、管理サーバ５は、最新の個人情報を保有することができる。
【０１５８】
〔実施形態２〕
本発明のキャンペーン応募資格取得通知システムに関する他の実施形態について、図１４〜図１６に基づいて説明すれば、以下のとおりである。なお、説明の便宜上、前記実施形態１にて説明した図面と同じ機能を有する部材については、同じ符号を付記し、その説明を省略する。
【０１５９】
上記実施形態１では、携帯電話機２の応募資格取得通知処理部２３３が購入履歴情報２２２ｄを監視し、キャンペーンの応募資格を取得したことをユーザに通知する処理を行い、応募処理部２３４がキャンペーンの応募処理を行う構成とした。しかしながら、キャンペーンの応募資格を取得したことを通知する構成は、これに限られない。例えば、電子メールを利用することもできる。本実施形態は、電子メールを用いて、キャンペーンの応募資格を取得したことをユーザに通知する構成である。
【０１６０】
図１４は、本実施形態に係るキャンペーン応募資格取得通知システム１ａの全体構成を簡略的に示すブロック図である。図１４に示されるように、キャンペーン応募資格取得通知システム１ａは、上記実施形態と比較して、携帯電話機２の代わりに携帯電話機（携帯情報端末）２ａを、管理サーバ５の代わりに管理サーバ（サーバ装置）５ａを備えている点で異なる。
【０１６１】
上記実施形態と同様に、携帯電話機２ａの電子マネーを用いて自動販売機４から商品を購入すると、自動販売機４は、ＩＤ−販売情報およびＩＤ−電子マネー情報を管理サーバ５ａに送信する。ＩＤ−販売情報を受けた管理サーバ５ａは、該販売情報を基に、購入回数が５回以上であるユーザに対して、キャンペーンの応募資格を取得したことを通知する応募資格取得通知電子メールを携帯電話機２ａに送信する。ユーザは、携帯電話機２が受信した応募資格取得通知電子メールを確認することで、キャンペーンの応募資格を取得したことを知ることができる。
【０１６２】
＜管理サーバの構成＞
図１５は、管理サーバ５ａの構成を示すブロック図である。管理サーバ５ａは、上記管理サーバ５と比較して、応募資格取得通知メール送信処理部６０を備えている点で異なる。
【０１６３】
応募資格取得通知メール送信処理部６０は、ＩＤ−販売情報記憶部５９が記憶するＩＤ−販売情報を基に、キャンペーンの応募資格を取得したことを判断し、該応募資格を取得したことを示す電子メール（応募資格取得通知メール）を携帯電話機２ａに送信するものである。応募資格取得通知メール送信処理部６０は、取得判断部（判断手段）６０ａおよび通知メール送信部（利用資格取得情報送信手段）６０ｂを備えている。
【０１６４】
取得判断部６０ａは、ＩＤ−販売情報記憶部５９が記憶する各固有ＩＤの販売情報の数（つまり、販売回数）と所定回数（ここでは、５回）との比較結果を基に、キャンペーンの応募資格を取得したか否かを判断するものである。取得判断部６０ａは、販売情報の数（販売回数）が５回以上である場合、応募資格を得たと判断する。応募資格を取得したと判断した場合、取得判断部６０ａは、該販売情報に対応する固有ＩＤを付加した通知指示を、通知メール送信部６０ｂに出力する。
【０１６５】
通知メール送信部６０ｂは、取得判断部６０ａから通知指示を受けて、応募資格を取得した旨を示す電子メール（応募資格取得通知メール）を送信するものである。通知メール送信部６０ｂは、該通知指示に付加された固有ＩＤに対応する電子メールアドレスを、ＩＤ−個人情報記憶部５８から読み出す。さらに、通知メール送信部６３は、読み出した電子メールアドレスを送信先として、ネットワーク通信部５１およびネットワークＮを介して、応募資格取得通知メールを送信する。なお、通知メール送信部６０ｂは、応募資格取得通知メールにおいて、応募の対象となる景品名を含めている。
【０１６６】
＜携帯電話機の構成＞
図１６は、携帯電話機２ａの構成を示す図である。図１６に示されるように、携帯電話機２ａは、上記携帯電話機２と比較して、応募資格取得通知処理部２３３の代わりに通知メール処理部（通知制御手段）２３５を含むアプリケーション部２３ａを備える点で異なる。
【０１６７】
通知メール処理部２３５は、ネットワークＮおよびネットワーク通信部２１を介して、応募資格取得通知メールを受信し、ユーザに対して、キャンペーンの応募資格を取得したことを通知するものである。通知メール処理部２３５は、応募資格取得通知メールを受信したことを通知するために、音／振動発生部２６に音および／または振動を発生させるとともに、応募資格取得通知メールの内容を表示部２５に表示させる。これにより、ユーザは、キャンペーンの応募資格を取得したことを知ることができる。
【０１６８】
また、上記応募資格取得通知メールには応募対象となる景品名が含まれているため、ユーザは、希望の景品名を選択・入力することができる。そして、応募処理部２３４は、上記実施形態と同様に、キャンペーンの応募処理を行う。
【０１６９】
このように、本実施形態のキャンペーン応募資格取得通知システム１ａは、固有ＩＤ２２２ｂを記憶するメモリ２２２と任意の情報をユーザに通知する音／振動発生部２６および表示部２５とを備える携帯電話機２ａと、メモリ２２２から固有ＩＤ２２２ｂの読み取りを行う自動販売機４と、ネットワークＮを介して、携帯電話機２ａおよび自動販売機４と通信可能な管理サーバ５とを備える。
【０１７０】
そして、上記実施形態で説明したように、自動販売機４は、ＩＤ−販売情報を送信する販売情報送信処理部４７を備える。
【０１７１】
管理サーバ５ａは、販売情報送信処理部４７が送信した販売情報と予め定められた基準とを比較することにより、キャンペーンの応募資格を取得したか否かを判断する取得判断部６０ａと、取得判断部６０ａが応募資格を取得したと判断した場合に、販売情報送信処理部４７が送信した固有ＩＤを基に、携帯電話機２ａに対し、応募資格を取得した旨を示す応募資格取得通知メールを送信する通知メール送信部６０ｂとを備える。さらに、携帯電話機２ａは、応募資格取得通知メールを受信し、受信した応募資格取得情報を音／振動発生部２６および表示部２５でユーザに通知させる通知メール処理部２３５を備える。
【０１７２】
これによれば、通知メール処理部２３５は、応募資格取得情報を管理サーバ５ａから受信し、応募資格を取得した旨を音／振動発生部２６および表示部２５でユーザに通知させることができる。この結果、ユーザは、キャンペーンの応募資格を取得すると即座にその旨を認識することができる。
【０１７３】
なお、本実施形態では、管理サーバ５ａが自動販売機４から送信されたＩＤ−販売情報を基にキャンペーンの応募資格を取得したか否かを判断する。すなわち、携帯電話機２ａでは、キャンペーンの応募資格を取得したか否かを判断する必要がない。そのため、本実施形態では、自動販売機４は、メモリ２２２に対して、購入データ（購入履歴情報２２２ｄ）を書き込む必要がない。自動販売機４は、メモリ２２２から固有ＩＤ２２２ｂを読み取り、該固有ＩＤ２２２ｂと購入データとを対応付けたＩＤ−販売情報を管理サーバ５ａに送信すればよい。よって、本実施形態の自動販売機４は、少なくともメモリ２２２から固有ＩＤ２２２ｂを読み取る機能を有していればよい。すなわち、本実施形態の自動販売機４は、少なくとも読取装置であればよい。
【０１７４】
ただし、携帯電話機２ａのユーザは、過去の購入データを確認したい場合もある。そのため、自動販売機４は、上記説明のように、メモリ２２２に購入履歴情報２２２ｄを書き込むことが好ましい。
【０１７５】
なお、本実施形態では、第２のサービスをキャンペーンプレゼントとして説明したが、これに限られず、例えば、第２のサービスは、購入回数が所定回数に達したユーザ全員に対して景品を与えるサービスであってもよい。この場合、管理サーバ５ａの通知メール送信部６０ｂは、上記キャンペーンの応募資格取得通知メールの代わりに、購入回数が所定回数に達したことにより獲得した景品が送付される旨を示す景品獲得資格取得通知メール（利用資格取得通知メール）を送信する。このとき、例えば、景品が所定額の電子マネーであるサービス（キャッシュバックサービス）の場合、管理サーバ５ａにおいて、通知メール送信部６０ｂは、所定額の電子マネーがサービスとして与えられたことを示す電子マネー獲得資格取得通知メールを携帯電話機２ａに送信し、電子マネー情報出力部５４は、電子マネーサーバ３に対して該ユーザの電子マネーの額を所定額だけ増加させる旨の指示を出力する。さらに、携帯電話機２ａの電子マネー設定部２３２は、電子マネー獲得資格取得通知メールを受けて、メモリ２２２の電子マネーを所定額だけ増加させる。また、景品が特定の音楽や画像のデータである場合、管理サーバ５ａの通知メール送信部６０ｂは、上記景品獲得資格取得通知メールにこの特定の音楽や画像のデータを添付して、携帯電話機２ａに送信する。これにより、ユーザは、購入回数が所定回数に達したと同時に、音楽や画像のデータを取得することができる。
【０１７６】
〔実施形態３〕
本発明のキャンペーン応募資格取得通知システムに関する他の実施形態について、図１７〜図２０に基づいて説明すれば、以下のとおりである。なお、説明の便宜上、前記実施形態１または実施形態２にて説明した図面と同じ機能を有する部材については、同じ符号を付記し、その説明を省略する。
【０１７７】
上記実施形態１では、携帯電話機２が、ネットワークＮを介して、キャンペーンの応募データを管理サーバ５に送信するものとした。しかしながら、応募データの送信経路はこれに限られない。本実施形態は、キャンペーンの応募データが自動販売機４を経由して管理サーバ５に送信される構成である。
【０１７８】
図１７は、本実施形態に係るキャンペーン応募資格取得通知システム１ｂの全体構成を簡略的に示すブロック図である。図１７に示されるように、キャンペーン応募資格取得通知システム１ｂは、上記実施形態と比較して、自動販売機４の代わりに自動販売機４ｂを備えている点で異なる。
【０１７９】
本実施形態の自動販売機４ｂは、携帯電話機２のメモリ２２２から希望景品データ２２２ｅおよび固有ＩＤ２２２ｂを読み取り、読み取った希望景品データ２２２ｅおよび固有ＩＤ２２２ｂを含む応募データを管理サーバ５に送信する。
【０１８０】
図１８は、本実施形態の自動販売機４ｂの構成を示すブロック図である。自動販売機４ｂは、上記実施形態１の自動販売機４と比較して、読取・書込処理部４２の代わりに読取・書込処理部４２ｂを備え、さらに、応募ボタン４８ｂおよび応募データ送信処理部４０を備えている点で異なる。
【０１８１】
応募ボタン４８ｂは、ユーザからキャンペーンの応募開始指示を受け付けるボタンである。応募ボタン４８ｂは、押下されると、読取・書込処理部４２ｂに対して応募処理指示を出力する。
【０１８２】
読取・書込処理部４２ｂは、読取・書込処理部４２の構成に加えて、応募データ読取部４２５および応募資格データ削除部４２６を備えている。
【０１８３】
応募データ読取処理部４２５は、応募ボタン４８ｂから応募処理指示を受け、かつ、相互認証部４２１からの相互認証成功信号を受けると、携帯電話機２のメモリ２２２から希望景品データ２２２ｅおよび固有ＩＤ２２２ｂを読み取り、読み取った希望景品データ２２２ｅおよび固有ＩＤ２２２ｂを含む応募データを応募データ送信処理部４０に出力する。さらに、応募データ読取処理部４２５は、希望景品データ２２２ｅおよび固有ＩＤ２２２ｂを読み取ると、応募資格データ削除部４２６に削除指示を出力する。
【０１８４】
応募資格データ削除部４２６は、応募データ読取処理部４２５から削除指示を受けると、応募資格に対応する回数分の購入データを、携帯電話機２ｂのメモリ２２２の購入履歴情報２２２ｄから消去する。
【０１８５】
応募データ送信処理部４０は、応募データ読取処理部４２５から受けた応募データ（希望景品データ２２２ｅおよび固有ＩＤ２２２ｂを含む）を、ネットワーク通信部４１およびネットワークＮを介して、管理サーバ５に送信するものである。
【０１８６】
次に、キャンペーンの応募時における自動販売機４ｂの処理手順について、図１９のフローチャートを参照して説明する。
【０１８７】
なお、予め、携帯電話機２において、ユーザ通知処理部２３１および音／振動発生部２６が応募資格を取得したことをユーザに対して通知し、応募データ決定部２３４ａが入力部２４に入力された希望景品名を示す希望景品データ２２２ｅをメモリ２２２に格納しているものとする。
【０１８８】
まず、応募ボタン４８ｂは、ユーザにより押下されたことを検知して、応募処理指示を読取・書込処理部４２ｂに対して出力する（Ｓ５１）。このとき、読取・書込処理部４２ｂは、表示部４９に対して、応募手順を表示させてもよい。
【０１８９】
応募処理指示を受けた読取・書込処理部４２ｂの検知部４２０は、携帯電話機２ｂのメモリ制御部２２１が発する電波の有無を判断する（Ｓ５２）。
【０１９０】
メモリ制御部２２１が発する電波を検知できない場合（Ｓ３でＮｏ）、検知部４２０は、Ｓ５１の処理から所定の制限時間（例えば、３０秒間）だけ経過したか否かを判断する（Ｓ５３）。制限時間を経過している場合（Ｓ５３でＮｏ）、検知部４２０は、表示部４９に制限時間が超過した旨を表示させる（Ｓ５４）。その後、Ｓ５１の処理に戻る。また、制限時間経過していない場合（Ｓ５３でＹｅｓ）、Ｓ５２の処理に戻る。
【０１９１】
一方、メモリ制御部２２１が発する電波を検知した場合（Ｓ５２でＹｅｓ）、検知部４２０は、相互認証開始信号を相互認証部４２１に出力する。
【０１９２】
相互認証開始信号を受けた相互認証部４２１は、携帯電話機２ｂとの間で相互認証を行い（Ｓ５５）、相互認証が成功したか否かを判断する（Ｓ５６）。
【０１９３】
相互認証が失敗した場合（Ｓ５６でＮｏ）、相互認証部４２２は、その旨を示す画面を表示部４９に表示させる（Ｓ５７）。その後、Ｓ５１の処理に戻る。
【０１９４】
一方、相互認証が成功した場合（Ｓ５６でＹｅｓ）、相互認証部４２１は、その旨を示す相互認証成功信号を応募データ読取処理部４２５に対して出力する。
【０１９５】
相互認証成功信号を受けた応募データ読取処理部４２５は、メモリ２２２から希望景品データ２２２ｅおよび固有ＩＤ２２２ｂをメモリ２２２から読み取る。ここで、希望景品データ２２２ｅおよび固有ＩＤ２２２ｂは応募データを構成するものである。つまり、応募データ読取処理部４２５は、携帯電話機２から応募データを受け付ける（Ｓ６１）。
【０１９６】
次に、応募データ読取処理部４２５は、読み取った応募データを応募データ送信処理部４０に出力する。そして、応募データ送信処理部４０は、応募データ読取処理部４２５から受けた応募データ（希望景品データ２２２ｅおよび固有ＩＤ２２２ｂを含む）を、ネットワーク通信部４１およびネットワークＮを介して、管理サーバ５に送信する、ネットワーク通信部４１およびネットワークＮを介して、管理サーバ５に送信する。
【０１９７】
また、応募データ読取処理部４２５は、応募データを応募データ送信処理部４０に出力するとともに、応募資格データ削除部４２６に削除指示を出力する。
【０１９８】
応募資格データ削除部４２６は、応募データ読取処理部４２５から削除指示を受け、応募資格に対応する回数分の購入データを携帯電話機２のメモリ２２２の購入履歴情報２２２ｄから消去する（Ｓ６２）。
【０１９９】
その後、応募データ読取処理部４２５は、応募完了した旨の画面を表示部４９に表示させる（Ｓ６３）。
【０２００】
このように、本実施形態のキャンペーン利用資格取得通知システム１ｂにおいて、携帯電話機２は、希望景品データ２２２ｅを取得し、取得した希望景品データ２２２ｅをメモリ２２２に格納する応募データ決定部２３４ａを備える。そして、自動販売機４ｂは、応募データ決定部２３４ａにより格納された希望景品データ２２２ｅをメモリ２２２から読み取る応募データ読取処理部４２５と、読み取った希望景品データ２２２ｅを管理サーバ５に送信する応募データ送信処理部４０とを備える。すなわち、応募データ読取処理部４２５と応募データ送信処理部４０とは、応募データ決定部２３４ａにより格納された希望景品データ２２２ｅをメモリ２２２から読み取り、読み取った希望景品データ２２２ｅを管理サーバ５に送信する応募データ読取送信手段（申込データ読取送信手段）である。
【０２０１】
これによれば、携帯電話機２は、応募データを、自動販売機４ｂを介して、管理サーバ５に送ることができる。すなわち、携帯電話機２は、キャンペーンの応募の際、ネットワークＮを使用することがなく、該ネットワークＮの使用費用を抑えることができる。
【０２０２】
なお、上記説明では、本実施形態３を、実施形態１の変形例として説明した。しかしながら、本実施形態３の特徴点である、自動販売機４ｂを経由して応募データを送信する構成は、上記実施形態２にも適用することができる。図２０は、本実施形態３の特徴点を上記実施形態２に適用したときのキャンペーン応募資格取得通知システム１ｃを示すブロック図である。
【０２０３】
図２０に示されるように、管理サーバ５ａが応募資格取得通知メールを携帯電話機２ａに送り、携帯電話機２ａが自動販売機４ｂを経由して応募データを管理サーバ５に送信する。これにより、携帯電話機２のユーザは、応募資格を取得したことをすぐに知るとともに、ネットワークＮの使用料を払うことなく、キャンペーンの応募を行うことができる。
【０２０４】
〔その他の変形例〕
上記各実施形態における管理サーバ５・５ａは、さらに、応募データ出力部５０が出力する個人情報−希望景品情報の中から景品の当選者をランダムに選出する当選者選出部と、当選者選出部が選出した個人情報に含まれる電子メールアドレスを基に、当選したことを通知する電子メール（当選通知メール）をユーザに送信する当選通知メール送信部とを備えていることが好ましい。これにより、ユーザは、自分が当選したことを即座に認識することができる。なお、景品が音楽や画像のデータである場合、当選通知メール送信部は、当選通知メールに該音楽や画像のデータを添付して送信してもよい。また、景品が電子マネーである場合、電子マネー情報出力部５４は、当選者選出部が選出したユーザの電子マネーを所定額だけ増やす指示を電子マネーサーバ３に出力する。さらに、携帯電話機２ａの電子マネー設定部２３２は、電子マネーが当選したことを示す当選通知メールを受けて、メモリ２２２の電子マネーを所定額だけ増加させる。
【０２０５】
上記各実施形態では、応募データ決定部２３４ａは、希望する景品名を入力部２４から取得する構成とした。これにより、ユーザは、複数ある景品から希望のものを選択することができる。しかしながら、景品が予め定められた１つしかない場合、応募データ決定部２３４ａは、入力部２４への入力を待つことなく、該景品名を希望景品名と決定することができる。なお、この場合、応募データ決定部２３４ａは、予め該景品名を取得している。
【０２０６】
これにより、携帯電話機２において、応募資格取得通知処理部２３３が応募資格を取得したことをユーザに通知すると同時に、応募処理部２３４は、応募データを管理サーバ５に送信することができる。もしくは、携帯電話機２ａにおいて、通知メール処理部２３５が応募資格取得通知メールを受信し、ユーザに応募資格取得情報を通知すると同時に、応募処理部２３４は、応募データを管理サーバ５に送信することができる。
【０２０７】
このとき、応募処理部２３４は、ユーザからの応募有無の確認を入力部２４に入力させる画面を表示部２５に表示させてもよい。または、応募処理部２３４は、該応募有無の確認画面を表示させることなく、応募資格取得通知により自動的に応募データを送信してもよい。
【０２０８】
上記説明では、携帯電話機２・２ａのアプリケーション部２３・２３ａは、キャンペーンの応募資格を取得したときに起動するものとした。しかしながら、これに限らず、アプリケーション部２３・２３ａは、ユーザが入力部２４に入力した起動指示にしたがって起動してもよい。
【０２０９】
図２１は、ユーザからの起動指示に従ってアプリケーション部２３・２３ａが起動したときに、アプリケーション部２３・２３ａが表示部２５に表示させる一画面例である。
【０２１０】
図２１に示されるように、アプリケーション部２３・２３ａは、ユーザからの起動指示にしたがって起動した場合でも、キャンペーンの応募処理を行うことができる。よって、上記Ｓ２８において、応募資格を取得しているが「後に応募する」を選択した場合であっても、ユーザは、所望の時間にキャンペーンの応募申込を行うことができる。
【０２１１】
また、ユーザからの起動指示に従ってアプリケーション部２３・２３ａが起動したときに、応募データ決定部（申込データ取得手段）２３４ａは、予め希望景品データ２２２ｅを入力部２４を介してユーザから取得し、メモリ２２２に格納しておいてもよい。これにより、応募資格取得通知処理部２３３または通知メール処理部２３５が応募資格取得情報をユーザに通知すると同時に、送信処理部２３４ｂは、自動的に希望景品データ２２２ｅおよび固有ＩＤ２２２ｂを含む応募データを送信することができる。
【０２１２】
また、アプリケーション部２３・２３ｂは、ユーザからの起動指示にしたがって起動した場合、購入履歴の表示処理を行うことができる。アプリケーション部２３・２３ｂは、メモリ２２２から購入履歴情報２２２ｄを読み取り、読み取った購入履歴情報２２２ｄに含まれる購入データを順に表示部２５に表示させる。図２２は、アプリケーション部２３・２３ｂが表示部２５に表示する購入履歴情報表示画面の一例である。これにより、ユーザは、購入履歴を確認することができる。また、アプリケーション部２３・２３ｂは、ユーザからの参照期間の入力に応じて、入力された参照期間の購入データを表示部２５に表示させることができる。
【０２１３】
また、上記各実施形態では、事前に利用登録を行い、各携帯電話機２・２ａに対して固有ＩＤが付与されるとした。すなわち、管理サーバ５・５ａは、事前に固有ＩＤと個人情報とを対応付けたＩＤ−個人情報を記憶している。これにより、管理サーバ５・５ａは、固有ＩＤにより個人情報を特定することができる。そのため、携帯電話機２・２ａは、キャンペーンの応募データの中に個人情報を含める必要がない（ただし、個人情報に修正がある場合は、応募データの中に修正後の個人情報を含めることが好ましい）。
【０２１４】
しかしながら、本発明は、事前の利用登録を必要とするものではない。事前に上記利用登録が行われない場合、つまり、管理サーバ５・５ａがＩＤ−個人情報を記憶していない場合、携帯電話機２・２ａは、固有ＩＤの代わりに個人情報を携帯電話機の固有の識別情報とし、該個人情報を含む応募データ（申込データ）を送信すればよい。
【０２１５】
具体的には、応募データ決定部２３４ａは、希望景品名入力指示とともに、個人情報の入力指示を表示部２５に表示させ、個人情報を取得する。そして、応募データ決定部２３４ａは、取得した個人情報２２２ａをメモリ２２２に格納する。
【０２１６】
さらに、送信処理部２３４ｂは、メモリ２２２から個人情報２２２ａ、希望景品データ２２２ｅを読み取り、該個人情報２２２ａおよび希望景品データ２２２ｅを含む応募データを管理サーバ５に送信すればよい。これにより、管理サーバ５は、個人情報と希望景品データとを対応付けた情報を集約することができる。
【０２１７】
もしくは、自動販売機４の購入データ書込部４２４は、メモリ２２２から個人情報２２２ａを読み取り、該個人情報２２２ａと購入データとを対応付けて、販売情報送信処理部４７に出力すればよい。これにより、販売情報送信処理部４７は、個人情報２２２ａおよび購入データを管理サーバ５ａに送信することができる。これにより、管理サーバ５ａは、個人情報と購入データとから、キャンペーンの応募資格を取得したユーザを特定することができ、応募資格取得通知メールをユーザに送信することができる。
【０２１８】
なお、アプリケーション部２３・２３ａは、入力部２４からの起動指示にしたがって起動した場合、応募データに含まれる個人情報（氏名、住所、電話番号等）の事前入力処理を行うことができる。この場合、応募データ決定部２３４ａは、予め、ユーザから応募データに含まれる個人情報２２２ａを受け付け、受け付けた個人情報２２２ａをメモリ２２２に格納することができる。図２２は、応募データ決定部２３４ａが表示部２５に表示させる個人情報の事前入力画面の一例である。また、事前入力によりメモリ２２２に格納された個人情報２２２ａは、後にユーザからの指示により、削除または変更することができる。
【０２１９】
これにより、応募資格を取得したときに、応募データ決定部２３４ａが希望景品名のみを受け付けるだけで、携帯電話機２・２ａは、即座に個人情報２２２ａおよび希望景品データ２２２ｅを管理サーバ５に送信することができる。
【０２２０】
さらに、アプリケーション部２３・２３ｂの通知制御部２３３ｂは、応募資格を取得した時点のみならず、応募資格を取得した後、応募資格を取得した旨の通知を定期的に繰り返し音／振動発生部２６にさせてもよい。これにより、ユーザは、確実に応募資格を取得したことに気付くことができる。通知制御部２３３ｂは、ユーザからの事前の設定された、応募資格取得通知を繰り返し行う間隔に応じて、通知を行う。図２４は、該通知の繰り返し間隔設定画面の一例である。
【０２２１】
また、上記説明において、携帯電話機２・２ａは、非接触に読取および書込可能なメモリ２２２を備えるとした。しかしながら、メモリ２２２は、非接触ではなく、接触により読取・書込が行われてもよい。例えば、携帯電話機２・２ａが着脱可能なメモリを有しており、該メモリを自動販売機４・４ｂに挿入することにより、自動販売機４・４ｂが該メモリに対して情報の読取・書込を行う形態であってもよい。
【０２２２】
また、電子マネーサーバ３は、ネットワークＮに接続されていてもよい。この場合、携帯電話機２・２ａは、管理サーバ５を介さずに、直接電子マネーサーバを通じて、電子マネーの入金処理を行うことができる。
【０２２３】
また、上記各実施形態では、携帯電話機２・２ａは、通信ネットワーク（および自動販売機４ｂ）を介して、キャンペーンの応募を行うものとした。しかしながら、これに限らず、ユーザは、応募資格取得通知処理部２３３による第２のサービスの利用資格を取得した旨の通知を受けると、携帯電話機２を店舗に持参し、店舗に設置された読取装置にメモリ２２２を読み取らせてもよい。例えば、第２のサービスが購入回数が所定回数以上であるユーザ全員に対して景品を渡すサービスの場合、ユーザが店舗に携帯電話機２を持参したときに、店舗は、上記読取装置により読み取った購入履歴情報２２２ｄを基に、景品を渡すことができる。
【０２２４】
上記携帯電話機２，２ａ，自動販売機４，４ｂおよび管理サーバ５，５ａの各部や各処理ステップは、ＣＰＵ（Central Processing Unit）などの演算手段が、ＲＯＭ（Read Only Memory）やＲＡＭ（Random Access Memory）などの記憶手段に記憶されたプログラムを実行し、キーボードなどの入力手段、ディスプレイなどの出力手段、あるいは、インターフェイス回路などの通信手段を制御することにより実現することができる。したがって、これらの手段を有するコンピュータが、前記プログラムを記録した記録媒体を読み取り、当該プログラムを実行するだけで、本実施形態の携帯電話機２，２ａ，自動販売機４，４ｂおよび管理サーバ５，５ａの各種機能および各種処理を実現することができる。また、前記プログラムをリムーバブルな記録媒体に記録することにより、任意のコンピュータ上で前記の各種機能および各種処理を実現することができる。
【０２２５】
この記録媒体としては、マイクロコンピュータで処理を行うために図示しないメモリ、例えばＲＯＭのようなものがプログラムメディアであっても良いし、また、図示していないが外部記憶装置としてプログラム読み取り装置が設けられ、そこに記録媒体を挿入することにより読取り可能なプログラムメディアであっても良い。
【０２２６】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め装置本体に格納されているものとする。
【０２２７】
また、前記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【０２２８】
また、インターネットを含む通信ネットワークを接続可能なシステム構成であれば、通信ネットワークからプログラムをダウンロードするように流動的にプログラムを担持する記録媒体であることが好ましい。
【０２２９】
さらに、このように通信ネットワークからプログラムをダウンロードする場合には、そのダウンロード用のプログラムは予め装置本体に格納しておくか、あるいは別な記録媒体からインストールされるものであることが好ましい。
【０２３０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２３１】
本発明は、外部の読取書込装置により読取および書込が可能な記憶部と、任意の情報をユーザに通知する通知部とを備える携帯情報端末に適用できる。
【図面の簡単な説明】
【０２３２】
【図１】本発明の実施形態１に係る携帯電話機の構成を示すブロック図である。
【図２】実施形態１のキャンペーン応募資格取得通知システムの全体構成を示すブロック図である。
【図３】携帯電話機が備える記憶部が記憶する購入履歴情報の一例である。
【図４】本発明の実施形態１に係る自動販売機の構成を示すブロック図である。
【図５】本発明の実施形態１に係る電子マネーサーバおよび管理サーバの構成を示すブロック図である。
【図６】商品購入時における自動販売機の処理手順を示すフローチャートである。
【図７】携帯電話機におけるキャンペーンの応募手順を示すフローチャートである。
【図８】応募資格を取得したときにおける携帯電話機の表示部の画面例である。
【図９】アプリケーション終了時における携帯電話機の表示部の画面例である。
【図１０】応募可能な商品を示すときにおける携帯電話機の表示部の画面例である。
【図１１】応募データの送信終了を示す携帯電話機の表示部の画面例である。
【図１２】応募データの入力確認を行うときにおける携帯電話機の表示部の画面例である。
【図１３】応募データの入力を指示するときにおける携帯電話機の表示部の画面例である。
【図１４】本発明の実施形態２に係るキャンペーン応募資格取得通知システムの全体構成を示すブロック図である。
【図１５】実施形態２に係る管理サーバの構成を示すブロック図である。
【図１６】実施形態２に係る携帯電話機の構成を示すブロック図である。
【図１７】本発明の実施形態３に係るキャンペーン応募資格取得通知システムの全体構成を示すブロック図である。
【図１８】実施形態３に係る自動販売機の構成を示すブロック図である。
【図１９】自動販売機におけるキャンペーンの応募手順を示すフローチャートである。
【図２０】実施形態３に係るキャンペーン応募資格取得通知システムの変形例を示すブロック図である。
【図２１】アプリケーションを起動させたときにおける携帯電話機の表示部の画面例である。
【図２２】応募データの事前入力を行うときにおける携帯電話機の表示部の画面例である。
【図２３】購入履歴情報を表示するときにおける携帯電話機の表示部の画面例である。
【図２４】繰り返し通知の設定画面例である。
【符号の説明】
【０２３３】
１・１ａ・１ｂ・１ｃ    キャンペーン応募資格取得通知システム（サービス利用資格取得通知システム）
２・２ａ    携帯電話機（携帯情報端末）
４・４ｂ    自動販売機（読取書込装置、読取装置）
５・５ａ    管理サーバ（サーバ装置）
２５    表示部（通知部）
２６    音／振動発生部（通知部）
４７    販売情報送信処理部（利用データ送信手段）
５５    応募データ受付判断部（申込データ受付判断手段）
６０ａ    取得判断部（判断手段）
６０ｂ    通知メール送信部（利用資格取得情報送信手段）
２２１    メモリ制御部（記憶制御手段）
２２２    メモリ（記憶部）
２２２ａ    個人情報（識別情報）
２２２ｂ    固有ＩＤ（識別情報）
２２２ｄ    購入履歴情報（利用データ）
２２２ｅ    希望景品データ（申込データ）
２３３ａ    取得判断部（判断手段）
２３３ｂ    通知制御部（通知制御手段）
２３４ａ    応募データ決定部（申込データ取得手段、申込データ格納手段）
２３４ｂ    送信処理部（申込データ送信手段）
２３５    通知メール処理部（通知制御手段）
Ｎ    ネットワーク（通信ネットワーク）
【図１】
2006134257.tif 000003
【図２】
2006134257.tif 000004
【図３】
2006134257.tif 000005
【図４】
2006134257.tif 000006
【図５】
2006134257.tif 000007
【図６】
2006134257.tif 000008
【図７】
2006134257.tif 000009
【図８】
2006134257.tif 000010
【図９】
2006134257.tif 000011
【図１０】
2006134257.tif 000012
【図１１】
2006134257.tif 000013
【図１２】
2006134257.tif 000014
【図１３】
2006134257.tif 000015
【図１４】
2006134257.tif 000016
【図１５】
2006134257.tif 000017
【図１６】
2006134257.tif 000018
【図１７】
2006134257.tif 000019
【図１８】
2006134257.tif 000020
【図１９】
2006134257.tif 000021
【図２０】
2006134257.tif 000022
【図２１】
2006134257.tif 000023
【図２２】
2006134257.tif 000024
【図２３】
2006134257.tif 000025
【図２４】
2006134257.tif 000026